(57)【要約】【課題】被測定者の呼吸や鼓動等による周期変動の影響を抑えて超音波速度変化の測定や脂肪診断が行える脂肪診断装置を提供する。【解決手段】複数フレーム分の超音波エコー信号を連続して取得し、複数フレームのＢモード画像群を形成する処理部２１と、加温前後においてそれぞれ取得したＢモード画像群に対応する超音波エコー信号を記憶するデータ記憶部１５と、加温前後のいずれか一方のＢモード画像群のフレーム間で、相互相関を算出していずれか１つのフレームを基準画像として抽出し、他方のＢモード画像群の各フレームと基準画像との間で、相互相関を算出していずれか１つのフレームを比較画像として抽出する抽出部２２と、基準画像および比較画像に対応する超音波エコー信号に基づいて超音波速度変化を算出して超音波速度変化画像を形成する超音波速度変化解析部２３とを備えた構成とする。【選択図】図１
2015173828.tif 000002
【特許請求の範囲】
【請求項１】
測定領域から取得した１フレーム分の走査本数の超音波エコー信号に基づいてＢモード画像を形成するとともに、加温前および加温後の測定領域からそれぞれ取得した１フレーム分の走査本数の超音波エコー信号に基づいて超音波速度変化を算出して超音波速度変化画像を形成することにより脂肪診断を行う脂肪診断装置であって、
周期変動する測定領域から、周期変動の一周期内に複数フレームのＢモード画像群を形成するために要する走査本数の超音波エコー信号を連続して取得し、前記複数フレームのＢモード画像群を形成する処理部と、
加温前と加温後とにおいてそれぞれ取得した複数フレームのＢモード画像群に対応する超音波エコー信号を記憶するデータ記憶部と、
加温前または加温後のいずれか一方のＢモード画像群のフレーム間で画像変化の度合を示す相互相関を算出していずれか１つのフレームを基準画像として抽出し、加温前または加温後の他方のＢモード画像群の各フレームと前記基準画像との間で画像変化の度合となる相互相関を算出していずれか１つのフレームを比較画像として抽出する抽出部と、
前記基準画像および前記比較画像に対応する走査本数の超音波エコー信号に基づいて超音波速度変化を算出して超音波速度変化画像を形成する超音波速度変化解析部とを備えたことを特徴とする脂肪診断装置。
【請求項２】
Ｂモード画像を形成する際のフレームあたりの走査本数は調整可能にしてあり、
前記処理部は、前記Ｂモード画像群を形成する際に１フレームあたりの走査本数を間引いて前記周期変動の一周期中に撮影可能なフレーム数を増やすように切り換わるように構成された請求項１に記載の脂肪診断装置。
【請求項３】
前記相互相関には、ゼロ平均正規化相互相関が用いられる請求項１または請求項２に記載の脂肪診断装置。
【請求項４】
前記基準画像を抽出する相互相関には、ゼロ平均正規化相互相関の和が用いられる請求項３に記載の脂肪診断装置。
【発明の詳細な説明】
【技術分野】
【０００１】
本発明は、被検体の関心領域（ＲＯＩ）等の測定領域に対して加温を行い、加温された領域での加温前後での超音波速度変化を検出することにより脂肪組織を診断する脂肪診断装置に関する。特に、本発明は呼吸、鼓動等の生理的な周期変動を伴う生体での脂肪診断に好適な脂肪診断装置に関する。
【背景技術】
【０００２】
体内の状態を診断する診断技術として、被検体に対し、エネルギーを照射して加温を行い、加温前後の超音波速度の変化を計測することで、加温部位の温度変化特性、エネルギー吸収特性を計測する音波計測装置が開示されている（特許文献１参照）。
【０００３】
また、加温前後の超音波速度変化を利用した新しい画像診断手法として、生活習慣病の危険因子の１つである内蔵脂肪を診断するために、関心領域に対して光照射による加温を行い、加温前後の超音波速度変化を計測して、超音波速度が負の変化をする部位を脂肪組織として検出し、脂肪組織分布を診断する脂肪組織の検出方法および検出装置が提案されている（特許文献２）。
【０００４】
特許文献２に記載された脂肪診断装置（脂肪組織検出装置）について説明する。この装置は、Ｂモード画像や超音波速度変化画像を取得するために必要な制御部を搭載した装置本体と、被検体の体表に直接当接させて被検体に向けて超音波照射や加温を行うプローブとを備えている。プローブは、被検体の測定領域に対し超音波照射を行うリニアアレイ探触子と、リニアアレイ探触子の隣にあって、被検体の測定領域に対し加温するための近赤外光照射を行う赤外線レーザ光源とを、それぞれ同じ測定領域に向けて行えるように横に並べて配置した専用のプローブを用いている。
【０００５】
リニアアレイ探触子は、直線状に配列された複数の振動子（圧電素子で形成）を有しており、各振動子は、制御部からの駆動信号によりパルス波が励振されて超音波信号を送波し、この超音波信号に対する被検体内からの超音波エコー信号を受波する。そして制御信号により送受波を行う振動子を順に切り換えて走査するようにしてある。また、赤外線レーザ光源はリニアアレイ探触子の横から７００ｎｍ〜１０００ｎｍの近赤外光が照射されるようにしてある。
【０００６】
この装置で超音波速度変化を測定し脂肪測定を行う動作について説明する。被検体に対し赤外線レーザ光源から近赤外光を照射し、所定の加温時間経過後に、リニアアレイ探触子を駆動し、パルス状の超音波信号を順次走査するようにして送波するとともに、被検体からの受信信号である超音波エコー信号を順次受波する。そして、光照射状態で取得した超音波エコー信号（受信信号）の波形を、光照射後超音波エコー信号として記憶する。
光照射後超音波エコー信号の受信波形の記憶が終わると光照射を停止する。この照射停止から所定時間経過して被検体の温度が十分に低下したところで、リニアアレイ探触子を駆動し、超音波信号を送波するとともに、被検体から超音波エコー信号を受波する。そして、光照射停止状態で取得した超音波エコー信号（受信信号）の波形を非照射時超音波エコー信号として記憶する。なお、記憶された超音波エコー信号はその振幅を輝度表示することでＢモード画像として表示される。
続いて、光照射後と非照射時の超音波エコー信号に基づいて、以下に示す関係から超音波速度変化を求める。
【０００７】
図９はある部分区間の非照射時（加温前）超音波エコー信号と光照射後（加温後）超音波エコー信号とを示す模式図である。非照射時の超音波速度をＶ、光照射後の超音波速度をＶ’とする。また、非照射時にある境界間を超音波信号が伝播するときに生じるパルス間隔をτとし、同じ境界間（距離一定）を光照射後に超音波信号が伝播するときに生じるパルス間隔をτ−Δτとする。すなわち、温度変化によりΔτだけパルス間隔が短くなるようにシフトしたとする。
このとき、
Ｖ・τ  ＝  Ｖ’・（τ−Δτ）  ・・・（１）
の関係が成立し、したがって、２つのエコー信号におけるパルス間隔の時間変化から超音波速度変化データが次式（２）で算出できる。
Ｖ’／Ｖ  ＝  τ／（τ−Δτ）  ・・・（２）
したがって、測定した２つのエコー信号から関心領域におけるパルス間隔（τ）、波形シフト量（Δτ）を、相互相関を求めて算出し、式（２）に基づいて各部位での超音波速度の変化（超音波速度変化比（Ｖ’／Ｖ））を算出する。
【０００８】
続いて、算出された各部位の超音波速度変化比（Ｖ’／Ｖ）に基づいて、この値が１より小さい部位（加温に対する超音波速度変化が負の領域）を脂肪領域と判定する。
すなわち、水中および脂肪中を伝播する超音波速度は３７℃のとき水中音速が１５２４ｍ／秒、脂肪中音速が１４１２ｍ／秒であるが、温度変化に対する超音波速度変化を比較すると、以下の通りである。
水：  ＋２  ｍ／秒・℃
脂肪：  −４  ｍ／秒・℃
よって、水分が多く含まれる筋肉や内蔵（肝臓等）は温度が上がると超音波速度が増加するのに対し、脂肪部分では超音波速度が減少することになり、超音波速度変化の極性が反転する。
そこで、測定領域を温度変化させたときに超音波速度変化が負となる領域を特定すれば脂肪領域の検出を行うことができる。
【０００９】
そして、解析結果の超音波速度変化の分布を画像化して表示装置に表示することにより、脂肪領域が他の部位と明確に分けて画像表示される。
【先行技術文献】
【特許文献】
【００１０】
【特許文献１】特開２００１−１４５６２８号公報
【特許文献２】特開２０１０−００５２７１号公報
【発明の概要】
【発明が解決しようとする課題】
【００１１】
特許文献２に記載された脂肪診断装置によれば、専用のプローブを用いて加温を行うとともに超音波速度変化の測定を行うことにより、加温前後の超音波速度変化画像を形成し、超音波速度変化が負の領域を検出すれば脂肪領域を画像化することができる。
しかしながら、生体において超音波速度変化画像により脂肪診断を行う場合には、以下の問題が生じることになる。
【００１２】
超音波速度変化画像を取得するには、加温前と加温後との異なる温度で、それぞれＢモード画像形成に必要な走査本数（例えば１２８本）の超音波エコー信号を取得し、取得した加温前および加温後のＢモード画像間の対応する超音波エコー信号の部分区間どうしで式（２）の演算を行うことになる。
【００１３】
ところで生体では、呼吸、鼓動等の生理的な動きによる組織境界の拡張、収縮、振動等の周期的な変動が生じている。そのため、プローブでＢモード画像形成に要する走査本数の超音波エコー信号を取得する場合、周期変動における一周期中の超音波エコー信号を取得するタイミングによっては、周期的変動が超音波速度変化画像の構築の際に影響を与え、測定誤差、不鮮明さの要因となる。
なお、呼吸については測定の際に、被測定者に一時的に呼吸を停止してもらうことで改善できる場合もありうるが、病人、乳児等のように測定中に呼吸を止めてもらうことが困難な被測定者の場合もありえる。また動物を測定対象とする場合にも呼吸を止めさせることは困難である。一方、鼓動については意識的に止めることは困難である。
【００１４】
そこで、本発明は超音波速度変化による脂肪診断に必要な、加温前および加温後の２つの時点での超音波エコー信号を取得する際に、被測定者の呼吸や鼓動等による周期変動が生じていても、周期変動の影響を抑えて超音波速度変化の測定、さらには脂肪診断ができる脂肪診断装置を提供することを目的とする。
【課題を解決するための手段】
【００１５】
上記課題を解決するためになされた本発明の脂肪診断装置は、測定領域から取得した１フレーム分の走査本数の超音波エコー信号に基づいてＢモード画像を形成するとともに、加温前および加温後の測定領域からそれぞれ取得した１フレーム分の走査本数の超音波エコー信号に基づいて超音波速度変化を算出して超音波速度変化画像を形成することにより脂肪診断を行う脂肪診断装置であって、周期変動する測定領域から、周期変動の一周期内に複数フレームのＢモード画像群を形成するために要する走査本数の超音波エコー信号を連続して取得し、前記複数フレームのＢモード画像群を形成する処理部と、加温前と加温後とにおいてそれぞれ取得した複数フレームのＢモード画像群に対応する超音波エコー信号を記憶するデータ記憶部と、加温前または加温後のいずれか一方のＢモード画像群のフレーム間で画像変化の度合を示す相互相関を算出していずれか１つのフレームを基準画像として抽出し、加温前または加温後の他方のＢモード画像群の各フレームと前記基準画像との間で画像変化の度合となる相互相関を算出していずれか１つのフレームを比較画像として抽出する抽出部と、前記基準画像および前記比較画像に対応する走査本数の超音波エコー信号に基づいて超音波速度変化を算出して超音波速度変化画像を形成する超音波速度変化解析部とを備えるようにしてある。
【００１６】
一般に、生体では呼吸と鼓動との動きが重なり合った周期的変動が生じている。本発明では、この周期変動の一周期の期間内における複数時点に対応した複数フレームのＢモード画像群を形成するために、処理部は、複数フレームのＢモード画像群の形成に要する走査本数の超音波エコー信号を連続して取得する。そして、この超音波エコー信号を連続して取得する処理を、加温前と加温後の測定領域に対して行い、２つのＢモード画像群を形成するとともに、取得した超音波エコー信号をデータ記憶部に記憶しておく。抽出部は、記憶された加温前または加温後のいずれか一方のＢモード画像群に含まれる複数フレームのＢモード画像のうち、フレーム間で画像変化が小さい（類似度が高い）１つのフレームを決めるために、フレーム間の相互相関を算出し、「基準画像」として抽出する。ここでの演算に用いられる相互相関は、画像変化の度合（類似度）の大小を数値化して比較できる演算であれば、特に限定されない。このようにして抽出された「基準画像」は、周期変動による画像変化の影響が小さい、ほぼ静止した時点に取得されたＢモード画像が選択されていることになる。
抽出部は、また、記憶された加温後または加温前のＢモード画像群（「基準画像」が含まれるＢモード画像群とは異なる側のＢモード動画）に含まれるＢモード画像の各フレームと、抽出された「基準画像」との間で、画像変化の度合が小さい（類似度が高い）１つのフレームを選択するために、相互相関を算出し、「比較画像」として抽出する。
このようにして抽出された「比較画像」と「基準画像」とは、呼吸および鼓動がほぼ同じ状態のＢモード画像であり、しかも、ほぼ静止した時点でのＢモード画像が選択されていることになる。
そして、超音波速度変化解析部は、選択された「基準画像」と「比較画像」のそれぞれに対応する超音波エコー信号に基づいて、超音波速度変化を算出して超音波速度変化画像を形成する。これにより、呼吸や鼓動が同状態になっている瞬間で、しかも、ほぼ静止した瞬間での加温前と加温後の超音波エコー信号から超音波速度変化を算出した超音波速度変化画像を形成することができるようになる。
【発明の効果】
【００１７】
本発明によれば、呼吸や鼓動が同じ状態のタイミングで、しかも、ほぼ静止した瞬間での加温前後の超音波エコー信号に基づいて超音波速度変化画像が形成できるので、呼吸や鼓動の影響が最も除かれた超音波速度変化画像による脂肪診断が可能になる。
【００１８】
上記発明において、Ｂモード画像を形成する際のフレームあたりの走査本数は調整可能にしてあり、前記処理部は、Ｂモード画像群を形成する際に１フレームあたりの走査本数を間引いて前記周期変動の一周期中に撮影可能なフレーム数を増やすように切り換わるように構成されてもよい。
走査本数を間引くことによりフレームレートを上げることができるようになり、時間あたりの撮影可能なＢモード画像のフレーム数を増大することができるようになる。これにより、基準画像や比較画像の選択を、より多くのフレーム数のなかから最適な画像を選択することができるようになる。なお、１フレームあたりの走査本数が間引かれることにより、画像自体の分解能は劣るようになるが、肝臓等での脂肪分布の空間的変化は比較的小さいので、あまり高い分解能を要求されることはない。よって、最初に測定位置を決定するための事前観察の際は、１フレームあたりの走査本数を増やして分解能を高くしておき、測定位置が決定された後は、処理部によってＢモード動画を取得するときに、走査本数を間引いてフレームレートを上げることにより、脂肪診断に適した測定ができるようになる。
【００１９】
上記発明において、相互相関の算出には、ゼロ平均正規化相互相関（ＺＮＣＣ）が用いられてもよい。
ここで、ＺＮＣＣは次式（３）で与えられる。
【００２０】
【数１】
2015173828.tif 000003
【００２１】
ここで、画像のサイズ（画素数）はＭ×Ｎ、加温前後それぞれにおける画像中の画素位置（ｉ，ｊ）の振幅（画素の輝度）はＩ（ｉ，ｊ），Ｔ（ｉ，ｊ）、各画像における振幅（画素の輝度）平均は、次の通りとする。
【００２２】
【数２】
2015173828.tif 000004
【００２３】
ＲＺＮＣＣは、−１＜ＲＺＮＣＣ＜１の値をとり、１に近いほど高い相関性を有している。
この式を用いた演算によれば、２つの画像の対応する画素ごとの輝度変化を総合的に数値化した相関を得ることができ、画像変化の度合（類似度）を的確に数値表現できる。
【００２４】
上記発明において、前記基準画像を抽出する相互相関には、ゼロ平均正規化相互相関（ＺＮＣＣ）の和が用いられてもよい。
これによれば隣接する３つ以上のフレーム間での相関の強さを確認することができるので、さらに画像の静止状態を的確に数値表現できる。
【図面の簡単な説明】
【００２５】
【図１】本発明の一実施形態である脂肪診断装置の全体構成を示すブロック図。
【図２】１つのプローブを用いて診断用超音波パルス波の送受波と加温用超音波連続波の送波を行う際の構成部分を示す図。
【図３】脂肪診断装置の測定動作手順を示すフローチャート。
【図４】基準画像を選択するための相互相関の演算を説明する図。
【図５】動物実験での相互相関の和ＳＲ（ｎ）の算出例を示す図。
【図６】比較画像を選択するための相互相関の演算を説明する図。
【図７】動物実験での相互相関ＲＺＮＣＣ（ｎＳ）の算出例を示す図。
【図８】超音波速度変化画像の一例を示す図。
【図９】加温前後の超音波エコー信号を示す模式図。
【発明を実施するための形態】
【００２６】
（装置構成）
以下、本発明の実施形態について図面を用いて説明する。なお、ここでは肝臓（脂肪肝）の測定を行う場合を例にして説明する。
図１は本発明の一実施形態である脂肪診断装置の全体構成を示すブロック図であり、図２は診断用の超音波パルス波の送受波と、加温用超音波連続波の送波とを１つのプローブを用いて行うための構成部分を示す図である。
【００２７】
脂肪診断装置１は、プローブ２と、このプローブ２を用いて超音波診断、加温、さらには超音波速度変化測定から脂肪診断を行うための制御を行う制御部３とからなる。
【００２８】
プローブ２は、被検体に送受波を行う振動子として機能する圧電素子が、直線状に多数（例えば１２８個）配列されたアレイ型プローブ（アレイトランスデューサともいう）が用いられる。振動子から出射される超音波が隣り合う肋骨の間から深部の肝臓に向けて進入できるようにするため、振動子の厚さを肋骨間の幅よりも小さく、具体的には厚さを１５ｍｍ以下にしてある。なお、従来からＢモード画像診断用として市販されている超音波診断装置のアレイ型プローブのうちで、振動子の厚さが適合しているものはそのままプローブ２として使用することができる。
【００２９】
制御部３は、メモリ、ＣＰＵ、入出力装置を含むコンピュータ装置が含まれ、Ｂモード画像による診断や脂肪診断を行うための操作および解析に必要な制御を全般的に行う。これらの制御で、本発明に関係する構成部分を機能ごとにブロック化して説明すると、超音波送受機構１１、連続波電源機構１２、スイッチ部１３、演算処理部１４、データ記憶部（メモリ）１５、画像表示制御部（デジタルスキャンコンバータ；ＤＳＣ）１６、表示装置（液晶パネル）１７、入力装置（マウス、キーボード等）１８を備えている。
【００３０】
超音波送受機構１１は、プローブ２の振動子Ｓを所定の走査順で励振させるための超音波パルス波を駆動回路１１ａにより順次駆動し、プローブ２から診断用の超音波パルス波信号として送波する走査制御を行う。送波するパルス電圧は２０−６０Ｖ程度で、パルスの持続時間は０．５〜５μ秒程度である。
さらに超音波送受機構１１は、超音波パルス波信号を送波後に被検体から反射してくる超音波エコー信号を振動子Ｓごとに待ち受けて順次受波する制御を行う。このような送波と受波との制御を１フレームの走査本数分だけ繰り返すことにより、１フレームのＢモード画像を形成する超音波エコー信号が取得されることになる。
受波した１フレーム分の超音波エコー信号は、データ記憶部（メモリ）１５に記憶されるとともに、演算処理部１４に送られ、必要なときに読み出して演算処理ができるようにしてある。
【００３１】
また、超音波送受機構１１は、上述した送波および受波の制御を連続して行う「動画モード」での送受により、複数フレームの連続するＢモード画像群、すなわちＢモード動画に対応する超音波エコー信号を取得することができるようにしてある。このときは複数フレーム分の超音波エコー信号がデータ記憶部１５に記憶されるとともに演算処理部１４に送られる。
【００３２】
そして超音波速度変化画像を求めるときには、測定領域の加温前と加温後とに、それぞれ動画モードによって送波および受波の制御が超音波送受機構１１によって行われ、加温前のＢモード画像群（Ｂモード動画）に対応する複数フレーム分の加温前超音波エコー信号、加温後のＢモード画像群（Ｂモード動画）に対応する複数フレーム分の加温後超音波エコー信号が、それぞれデータ記憶部１５に記憶される。
【００３３】
なお、超音波送受機構１１による１フレームあたりの走査本数は、入力装置１８からの入力操作によって調整可能にしてあり、走査本数を増やして画質を高める代わりにフレームレートを遅くするか、走査本数を減らして画質を劣化させる代わりにフレームレートを高めるかを自由に調整できるようにしてある。そして「動画モード」では、手動操作で積極的に変更しない限り、自動的に走査本数を間引いてフレームレートを高めるように調整されるようにしてある。
【００３４】
連続波電源機構１２は、被検体の測定領域を加温する際に、必要なパワーの超音波連続波（例えば正弦波）を高周波電源１２ａから出力し、プローブ２の振動子Ｓから一斉に送波する制御を行う。出力電圧は１０−２０Ｖ程度であるが、連続波で出力するためのパワーが必要であることから加温用の専用電源を用いるようにしている。連続波の周波数ｆに対し、加温可能な生体の深さはほぼ１／ｆになることが知られている。そのため、脂肪肝の診断では体表から５ｃｍ以上の深さまで加温できることが好ましい。これを可能にするため、１〜３ＭＨｚの周波数帯域にしてある。
【００３５】
スイッチ部１３は、プローブ２の各振動子Ｓと、超音波送受機構１１および連続波電源機構１２との間に設けられ、電子スイッチまたはマイクロリレーからなり、超音波送受機構１１による超音波パルス波信号および超音波エコー信号を走査しながら送受する側の端子（診断側端子）と、連続波電源機構１２による超音波連続波を各振動子Ｓから一斉に送波する側の端子（加温側端子）とのいずれの端子を、プローブ２の振動子Ｓに接続される端子とするかを切り換えている。これにより、１つのプローブ２から、被検体への加温用の超音波連続波の照射と、診断用の超音波パルス波の照射とを切り換えて照射することができる。
なお、詳細な説明は省略するが、加温側の回路内に必要に応じて遅延回路を追加する等で電子フォーカスを行えるようにし、所望の部位に超音波ビームが収束するようにして加温してもよい。
【００３６】
演算処理部１４は、超音波送受機構１１により取得した超音波エコー信号、あるいは、取得後にデータ記憶部１５に記憶させた超音波エコー信号を用いて、Ｂモード画像診断や脂肪診断を行うための処理および解析に必要な演算処理全般を行う。本発明で行われる演算処理は、処理部２１、抽出部２２、超音波速度変化解析部２３、さらには脂肪領域検出部２４の各機能ブロックによって説明することができる。
【００３７】
処理部２１は、超音波送受機構１１を駆動させ、周期変動する測定領域から、周期変動の一周期内の複数フレームのＢモード画像群を形成するために要する走査本数の超音波エコー信号を連続して取得し、データ記憶部１５に記憶するとともに、取得した超音波エコー信号により複数フレームのＢモード画像群（Ｂモード動画）を形成する処理を行う。データ記憶部１５に記憶させた後は、ここから読み出してＢモード画像群を形成する処理が行われるようになる。なお、ここでいう「Ｂモード画像群を形成する」とは、連続して取得した複数フレーム分のＢモード画像の超音波エコー信号を１フレーム分の走査本数ごとの超音波エコー信号に振り分けて、個々のフレームのＢモード画像と取得した超音波エコー信号とが対応付けられるようにすることで足りる。すなわち取得された複数フレーム分の超音波エコー信号のそれぞれと、各Ｂモード画像を構成する各走査線の位置の対応付けができれば、ここでいう「Ｂモード動画を形成する」ことになる。そして形成されたＢモード画像群は画像表示制御部（ＤＳＣ）１６に書き込まれる。
【００３８】
また、超音波速度変化画像を形成するときには、加温前と加温後との２つのＢモード動画を形成することが必要であるため、加温前後で超音波エコー信号を取得する２回の処理が行われ、データ記憶部１５には加温前のＢモード動画に対応する複数フレーム分の加温前超音波エコー信号と、加温後のＢモード動画に対応する複数フレーム分の加温後超音波エコー信号が記憶される。
【００３９】
抽出部２２は、処理部２１によって形成された加温前（あるいは加温後）のＢモード動画の各フレーム間で、式（３）に基づいて二次元の相互相関を算出し、いずれか１つのフレームを「基準画像」として抽出する処理を行う。
【００４０】
抽出部２２は、また、「基準画像」を抽出する際に使用したものとは異なる加温後（加温前）のＢモード動画の各フレームと、「基準画像」との間で、式（３）に基づいて二次元の相互相関を算出し、いずれか１つのフレームを「比較画像」として抽出する処理を行う。
【００４１】
超音波速度変化解析部２３は、図９で説明した従来例と同様の原理・方法で、抽出した「基準画像」および「比較画像」に対応する超音波エコー信号（データ記憶部１５に記憶されたそれぞれ１フレーム分の超音波エコー信号）の部分区間ごとに加温前後の超音波エコー信号の波形シフト量（Δτ）の計算を行い、また、測定領域内の組織の境界間のパルス間隔（τ）を算出する処理を行う。そして式（２）に基づいて、各部位の超音波速度比（Ｖ’／Ｖ）を算出する処理を行い、さらに超音波速度比の算出結果に基づいて超音波速度変化画像を形成し、画像表示制御部（ＤＳＣ）１６に書き込む。
【００４２】
脂肪領域検出部２４は、算出された各部位の超音波速度比（Ｖ’／Ｖ）に基づいて、この値が１より小さい部位を脂肪領域と判定する。そして脂肪領域画像をそれ以外の領域と区別できるようにして（例えば色分け）、画像表示制御部（ＤＳＣ）１６に書き込む。
【００４３】
画像表示制御部（ＤＳＣ）１６は、処理部２１、超音波速度変化解析部２３、脂肪領域検出部２４により書き込まれた画像データを、液晶パネル等の表示装置１７に画像表示する制御を行う。
【００４４】
（測定動作）
次に、脂肪診断装置１による肝臓（脂肪肝）の測定動作手順の一例について図３のフローチャートを用いて説明する。
【００４５】
スイッチ部１３を超音波送受機構１１につながる「診断側端子」に切り換えておき、プローブ２の振動子Ｓを被検体の肋骨の間から測定領域である肝臓に向けてセットする（Ｓ１１）。
そして測定位置を微調整するための事前観察を行う。このとき「動画モード」で観察してもよいが、最終的には、鮮明画像で測定位置を探す方が望ましいので、走査本数を間引かずに撮影したＢモード画像（静止画像）により測定領域を確認する。
【００４６】
続いて「動画モード」で、加温前の超音波エコー信号の測定を行う（Ｓ１２）。すなわち被検体に生じている周期変動の一周期内での複数フレーム分の超音波エコー信号が取得されるように、周期変動の一周期よりも長い期間、超音波パルス波信号を繰り返し送波するとともに、被検体から反射してくる超音波エコー信号を受波する。
このとき送波および受波を振動子ごとに走査してもよいし、隣接する複数個の振動子ごとに走査し、いわゆる位相合成を行うようにして特定の深さ位置に測定領域を集中させてもよい。取得した複数フレーム分の「加温前超音波エコー信号」を記憶するとともに、Ｂモード画像群（Ｂモード動画）を形成し、画像表示制御部（ＤＳＣ）１６を介して表示装置１７に表示する。
【００４７】
続いて、加温前超音波エコー信号を取得した位置から動かさずに、スイッチ部１３を連続波電源機構１２につながる「加温側端子」に切り換え、超音波連続波を全振動子から照射して測定領域が２℃程度上昇するまで加温する（Ｓ１３）。
【００４８】
続いて、測定領域が加温状態で安定すると、「動画モード」で加温後の超音波エコー信号の測定を行う（Ｓ１４）。すなわち、加温を停止するとともにスイッチ部１３を「診断側端子」に切り換える。そして加温停止直後で温度が降下する前に、Ｓ１２と同じ測定条件にして、再び超音波パルス波信号を繰り返し送波するとともに、被検体から反射してくる超音波エコー信号を受波し、複数フレーム分の「加温後超音波エコー信号」を記憶するとともにＢモード画像群（Ｂモード動画）を形成して表示装置１７に表示する。
なお、加温停止の入力操作を行うだけで、加温停止直後の超音波パルス波信号の送波、および、超音波エコー信号の受波までの一連の動作が連動して行われるようにするための制御シーケンスを装置に組み込んでおくことにより、ここでの操作が確実かつ安定して行えるようになる。
【００４９】
続いて、温度変化前（加温前）のＢモード画像群（Ｂモード動画）のなかから基準画像を抽出する（Ｓ１５）。
すなわち、加温前のＢモード画像群に含まれるＢモード画像のフレーム間で式（３）による相互相関ＲＺＮＣＣを算出する。
具体的には、図４に示すように、Ｂモード画像群に含まれるＢモード画像をＦ（１），Ｆ（２），・・・，Ｆ（ｎ−１），Ｆ（ｎ），Ｆ（ｎ＋１），・・・としたときに、Ｆ（１）とＦ（２）との相互相関ＲＺＮＣＣ（１）、Ｆ（２）とＦ（３）との相互相関ＲＺＮＣＣ（２）、・・・、Ｆ（ｎ−１）とＦ（ｎ）との相互相関ＲＺＮＣＣ（ｎ−１）、Ｆ（ｎ）とＦ（ｎ＋１）との相互相関ＲＺＮＣＣ（ｎ）、・・・を順次算出する。既述のように、ＲＺＮＣＣは、−１＜ＲＺＮＣＣ＜１の間の値となり、１に近いほど高い相関性を有し、２つの画像の類似性が高くなる。換言すればＲＺＮＣＣが１に近いほど、２つの画像間の変化が小さい画像になる（静止画像に近づく）。よって相互相関ＲＺＮＣＣが最も１に近いものを選択することで、変化の小さい画像を基準画像として選択することができる。
【００５０】
なお、上述した相互相関ＲＺＮＣＣで基準画像を選択してもよいが、さらに画像間の安定性を求めたい場合には、次式（４）に示す２つの連続する相互相関ＲＺＮＣＣどうしの和ＳＲ（ｎ）を算出してもよい。
ＳＲ（ｎ）＝ＲＺＮＣＣ（ｎ）＋ＲＺＮＣＣ（ｎ＋１）  ・・・（４）
【００５１】
このＳＲ（ｎ）は、−２＜ＲＺＮＣＣ＜２の間の値となり、２に近いほど高い相関性を有し、連続する３フレームの画像の類似性が高くなる。換言すればＳＲ（ｎ）が２に近いほど、３つの画像間の変化が小さい画像になる。よって相互相関ＲＺＮＣＣどうしの和ＳＲ（ｎ）が最も２に近いものを選択することで、３フレーム分連続して変化の小さい画像を基準画像として選択することができる。
【００５２】
図５はウサギを用いた動物実験での相互相関の和ＳＲ（ｎ）の算出例を示す図である。図において、横軸は加温前の超音波エコー信号から形成した連続するＢモード画像群のフレーム番号であり、縦軸はＳＲ（ｎ）の値である。
この図では、大きい振幅の変動が約４．５周期分含まれ、これに小さい振幅で小さい周期の変動が重畳している。大きい振幅の変動は呼吸による変動であり、小さい変動は鼓動による変動である。約４．５周期の周期変動中に６００フレーム分のＢモード画像が形成されている。
大きい振幅の変動のうちＳＲ（ｎ）の値が２近くまで上昇して（小さい振幅（鼓動）の影響を除いて）しばらく２近くを持続している期間は、息を吐いてから吐き切るまでの期間を現し、ＳＲ（ｎ）の値が１．５〜１．７くらいまで上昇しピーク直後に急降下する瞬間は、息を吸い切った瞬間を現している。
【００５３】
この例では息を吐き切るまでの期間中であって、しかも鼓動が拡張し終えた瞬間、あるいは収縮し終えた瞬間の静止期間のＳＲの値が２近くまで上昇して画像として最も安定していることを示している。
よって、ＳＲの値が２に近い値を実際に選択することによって、画像変化の小さい最も静止した状態に近い画像を「基準画像」（以下Ｆ（Ｓ）とする）として抽出することができる。
【００５４】
続いて、温度変化後（加温後）のＢモード画像群（Ｂモード動画）のなかから比較画像を抽出する（Ｓ１６）。すなわち、加温後のＢモード画像群に含まれるＢモード画像の各フレームと、基準画像Ｆ（Ｓ）との間で、式（３）による相互相関ＲＺＮＣＣを算出する。
具体的には、図６に示すように、加温後のＢモード画像群に含まれるＢモード画像をＧ（１），Ｇ（２），・・，Ｇ（ｎ），・・・としたときに、Ｇ（１）とＦ（Ｓ）との相互相関ＲＺＮＣＣ（１Ｓ）、Ｇ（２）とＦ（Ｓ）との相互相関ＲＺＮＣＣ（２Ｓ）、・・・、Ｇ（ｎ）とＦ（Ｓ）との相互相関ＲＺＮＣＣ（ｎＳ）、・・・を順次算出する。この場合もＲＺＮＣＣが１に近いほど、２つの画像間の変化が小さい画像（類似画像）になる。よって相互相関ＲＺＮＣＣが最も１に近いものを選択することで基準画像に類似する画像を「比較画像」（以下Ｇ（Ｓ）とする）として抽出することができる。
【００５５】
図７はウサギを用いた動物実験での基準画像との相互相関ＲＺＮＣＣ（ｎＳ）の算出例を示す図である。図において、横軸は加温後の超音波エコー信号から形成した連続するＢモード画像のフレーム番号であり、縦軸はＲＺＮＣＣ（ｎＳ）の値である。
この図でも大きい振幅の変動は呼吸による変動であり、小さい変動は鼓動による変動である。大きい振幅の呼吸の変動の周期ごとにＲＺＮＣＣ（ｎＳ）の値が０．８〜１近くまで上昇してピークをなしている。ピーク位置が０．８〜１で変動するのは鼓動の影響であり、呼吸と鼓動との双方が同期したときに最も１に近づくようになる。
よって、ＲＺＮＣＣ（ｎＳ）の値が１に近いピークでのフレームを選択することによって、基準画像に近い状態での画像を「比較画像」（以下Ｇ（Ｓ）とする）として抽出することができる。
【００５６】
続いて、基準画像Ｆ（Ｓ）に対応する超音波エコー信号、比較画像Ｇ（Ｓ）に対応する超音波エコー信号を読み出し、パルス間隔（τ）、波形シフト量（Δτ）を求め、式（２）による演算を行って超音波速度変化を算出する（Ｓ１７）。そして、算出した超音波速度変化データから超音波速度変化画像を作成して表示装置に表示する。
【００５７】
続いて、算出された超音波速度変化のデータから超音波速度比（Ｖ’／Ｖ）が１よりも小さい領域を検出して、この領域を脂肪領域と判定する。そして脂肪領域が表示装置に表示されるように画像表示制御部（ＤＳＣ）１６に書き込む。（Ｓ１８）。
以上の動作を行うことにより、脂肪領域が表示された画像が表示装置１７に表示され、これにより脂肪診断結果が表示される。
【００５８】
（実施例）
図８は脂肪領域を色分けした超音波速度変化画像の一例を示す図であり、図８（ａ）は上述した手順で基準画像Ｆ（Ｓ）と比較画像Ｇ（Ｓ）とを抽出して作成した超音波速度変化画像を示す。一方、図８（ｂ）は周期変動を無視して加温前後にランダムに抽出したフレーム（呼吸、鼓動の同期がとれていない状態）で作成した超音波画像を示している。なお、図８（ｃ）は基準画像Ｆ（Ｓ）となるＢモード画像である。
図８（ａ）では周期変動に対する同期（移動補償）が十分にとれて脂肪領域が鮮明に現れているのに対し、図８（ｂ）では不鮮明が画像しか得られていない。
このように本発明によれば、呼吸や鼓動による周期変動の影響を除くことができ、これにより鮮明な画像で脂肪診断を行うことができるようになる。
【００５９】
（変形例）
本発明は上記実施形態に限られず、本発明の趣旨を逸脱しない範囲で、様々に変形実施することができる。
例えば、上記実施形態では、先に加温前のエコー信号として取得するようにして、その後に超音波で加温し、加温停止直後に加温後超音波エコー信号を取得するようにしたが、これに代えて、Ｂモード画像を観察して測定位置を決定した後、先に加温を行い、所望の温度に加温された後に、加温停止直後の加温後超音波エコー信号を取得し、続いて温度が平温に戻った状態で非加温時の超音波エコー信号を取得し、これを加温前エコー信号としてもよい。このようにすれば測定に要する手間・時間は増えるが、加温したときには体温上昇を防ぐために血管が拡張して血流が増大することになる。血流の増大により温度変化が急峻になるので、温度降下時の測定の方が温度上昇時よりも時間あたりの温度変化が大きくなり、安定した測定が行えるようになる。
【００６０】
また、上記実施形態では温度変化前（加温前）のＢモード画像群から基準画像を選択し、温度変化後（加温後）のＢモード画像群から比較画像を選択するようにしたが、これらを入れ替えてもよい。
【００６１】
また、上記実施形態では「基準画像」の抽出に、式（４）で示した２項の相互相関ＲＺＮＣＣの和ＳＲ（ｎ）を用いたが、さらに項数を増やして３項以上の相互相関ＲＺＮＣＣの和を用いるようにしてもよい。
例えば３項の相互相関の和を用いることで、４フレーム分の連続する画像間での変化の小さい画像を基準画像として選択することができる。
【００６２】
また、上記実施形態では超音波エネルギーによる加温を行っているが、測定領域の深度によっては光照射等の方法による加温を行ってもよい。
【産業上の利用可能性】
【００６３】
本発明は、周期変動を伴う生体での脂肪診断を行う脂肪診断装置に利用することができる。
【符号の説明】
【００６４】
１  脂肪診断装置
２  プローブ
３  制御部
１１  超音波送受機構
１２  連続波電源機構
１３  スイッチ部
１４  演算処理部
１５  データ記憶部（メモリ）
１６  画像表示制御部（ＤＳＣ）
１７  表示装置（液晶パネル）
１８  入力装置（マウス、キーボード）
２１  処理部
２２  抽出部
２３  超音波速度変化解析部
２４  脂肪領域検出部
【図１】
2015173828.tif 000005
【図２】
2015173828.tif 000006
【図３】
2015173828.tif 000007
【図４】
2015173828.tif 000008
【図５】
2015173828.tif 000009
【図６】
2015173828.tif 000010
【図７】
2015173828.tif 000011
【図９】
2015173828.tif 000012
【図８】
2015173828.tif 000013